(57)【要約】【課題】不適切なぼかし処理が行われないようにすることを目的とする。【解決手段】取得される静止画像データにぼかし処理を行う撮像装置であって、被写体を撮影する撮像手段と、被写体または該撮像装置の動きを検出する検出手段と、前記撮像手段により撮影される画像に基づいてぼかし量を設定する設定手段と、前記撮像手段により取得される静止画像データに前記設定手段により設定されたぼかし量を適用してぼかし処理を行う処理手段と、を有し、前記処理手段は、前記検出手段により被写体または該撮像装置の動きが検出された場合、ぼかし処理を行わないことを特徴とする。【選択図】図４
2016024764.tif 000002
【特許請求の範囲】
【請求項１】
取得される静止画像データにぼかし処理を行う撮像装置であって、
被写体を撮影する撮像手段と、
被写体または該撮像装置の動きを検出する検出手段と、
前記撮像手段により撮影される画像に基づいてぼかし量を設定する設定手段と、
前記撮像手段により取得される静止画像データに前記設定手段により設定されたぼかし量を適用してぼかし処理を行う処理手段と、を有し、
前記処理手段は、前記検出手段により被写体または該撮像装置の動きが検出された場合、ぼかし処理を行わないことを特徴とする撮像装置。
【請求項２】
前記処理手段は、前記設定手段によりぼかし量が設定されてから、前記撮像手段により静止画像データが取得されるまでに前記検出手段により被写体または該撮像装置の動きが検出された場合、ぼかし処理を行わないことを特徴とする請求項１に記載の撮像装置。
【請求項３】
前記撮像手段により撮影される被写体領域を複数の着目領域に分割する分割手段を有し、
前記設定手段は、前記分割手段により分割された着目領域毎に着目領域以外の領域のぼかし量を設定することを特徴とする請求項１または２に記載の撮像装置。
【請求項４】
前記撮像手段は、前記分割手段により分割された着目領域にそれぞれ合焦させた静止画像データを取得し、
前記処理手段は、前記撮像手段により取得される静止画像データに対して着目領域以外の領域に前記設定手段により設定されたぼかし量を適用してぼかし処理を行うことを特徴とする請求項３に記載の撮像装置。
【請求項５】
前記撮像手段により撮影される被写体領域のうち前記検出手段により検出された被写体の動きが含まれる着目領域を抽出する抽出手段を有し、
前記処理手段は、前記撮像手段により取得される静止画像データのうち、前記抽出手段により抽出された着目領域に合焦されている静止画像データにぼかし処理を行わないことを特徴とする請求項４に記載の撮像装置。
【請求項６】
前記撮像手段により撮影される被写体領域のうち前記検出手段により検出された被写体の動きが含まれる着目領域を抽出する抽出手段と、
前記抽出手段により抽出された着目領域と着目領域以外の領域との間の深度差が所定量以上であるか否かを判定する判定手段と、を有し、
前記撮像手段は、前記判定手段により深度差が所定量以上であると判定された場合、前記抽出手段により抽出された着目領域に合焦して静止画像データを取得し、
前記処理手段は、前記撮像手段により取得される静止画像データにぼかし処理を行わないことを特徴とする請求項１に記載の撮像装置。
【請求項７】
前記撮像手段により撮影される被写体領域のうち前記検出手段により検出された被写体の動きが含まれる着目領域を抽出する抽出手段と、
前記抽出手段により抽出された着目領域と着目領域以外の領域との間の深度差が所定量以上であるか否かを判定する判定手段と、を有し、
前記撮像手段は、前記判定手段により深度差が所定量未満であると判定された場合、前記抽出手段により抽出された着目領域に合焦せずに静止画像データを取得し、
前記処理手段は、前記撮像手段により取得される静止画像データにぼかし処理を行わないことを特徴とする請求項１に記載の撮像装置。
【請求項８】
前記撮像手段により取得される静止画像データ毎に露出制御値の変更および異なる色変換処理の少なくとも何れかを行う変更手段を有することを特徴とする請求項７に記載の撮像装置。
【請求項９】
取得される静止画像データにぼかし処理を行う撮像装置の制御方法であって、
被写体を撮影する撮像ステップと、
被写体または該撮像装置の動きを検出する検出ステップと、
前記撮像ステップにより撮影される画像に基づいてぼかし量を設定する設定ステップと、
前記撮像ステップにより取得される静止画像データに前記設定ステップにより設定されたぼかし量を適用してぼかし処理を行う処理ステップと、を有し、
前記処理ステップでは、前記検出ステップにより被写体または該撮像装置の動きが検出された場合、ぼかし処理を行わないことを特徴とする撮像装置の制御方法。
【請求項１０】
取得される静止画像データにぼかし処理を行う撮像装置を制御するためのプログラムであって、
被写体を撮影する撮像ステップと、
被写体または該撮像装置の動きを検出する検出ステップと、
前記撮像ステップにより撮影される画像に基づいてぼかし量を設定する設定ステップと、
前記撮像ステップにより取得される静止画像データに前記設定ステップにより設定されたぼかし量を適用してぼかし処理を行う処理ステップと、をコンピュータに実行させ、
前記処理ステップでは、前記検出ステップにより被写体または該撮像装置の動きが検出された場合、ぼかし処理を行わないことを特徴とするプログラム。
【発明の詳細な説明】
【技術分野】
【０００１】
本発明は、撮像装置、その制御方法およびプログラムに関する。
【背景技術】
【０００２】
コンパクトデジタルカメラ等の撮像装置は撮像素子が小さく、撮影した画像では被写界深度が深くなるために光学的なぼかし効果が施された画像を取得することが困難な場合がある。このような問題に対して特許文献１には、撮影条件の異なる複数の画像から両者を合成することで被写体深度が浅い画像を取得できる画像処理装置が開示されている。
【先行技術文献】
【特許文献】
【０００３】
【特許文献１】特開２００４−３１０５０４号公報
【発明の概要】
【発明が解決しようとする課題】
【０００４】
しかしながら、上述した画像処理装置では複数の画像が取得される間に被写体が動いたり、画角が変更されたりした場合に不適切なぼかし処理が行われてしまうという問題がある。
本発明は、上述したような問題点に鑑みてなされたものであり、不適切なぼかし処理が行われないようにすることを目的とする。
【課題を解決するための手段】
【０００５】
本発明の撮像装置は、取得される静止画像データにぼかし処理を行う撮像装置であって、被写体を撮影する撮像手段と、被写体または該撮像装置の動きを検出する検出手段と、前記撮像手段により撮影される画像に基づいてぼかし量を設定する設定手段と、前記撮像手段により取得される静止画像データに前記設定手段により設定されたぼかし量を適用してぼかし処理を行う処理手段と、を有し、前記処理手段は、前記検出手段により被写体または該撮像装置の動きが検出された場合、ぼかし処理を行わないことを特徴とする。
【発明の効果】
【０００６】
本発明によれば、不適切なぼかし処理が行われないようにすることができる。
【図面の簡単な説明】
【０００７】
【図１】撮像装置の主要な構成を示す図である。
【図２】ぼかし処理の概要を説明するための図である。
【図３】第１の実施形態の撮像装置の処理を示すフローチャートである。
【図４】第２の実施形態の撮像装置の処理を示すフローチャートである。
【図５】第３の実施形態の撮像装置の処理を示すフローチャートである。
【図６】第３の実施形態の撮像装置の処理を示すフローチャートである。
【発明を実施するための形態】
【０００８】
以下、図面を参照して本発明に係る実施形態について説明する。なお、以下の実施形態は発明の好ましい形態を示すものであり、発明の範囲を限定するものではない。
（第１の実施形態）
本実施形態は、撮像装置としてデジタルカメラを例にして説明する。
図１は、撮像装置１００の主要な構成を示す図である。
制御部１０１は、例えば、ＣＰＵ（ＭＰＵ）、メモリ（ＤＲＡＭ、ＳＲＡＭ）等からなり、各種処理（プログラム）を実行して撮像装置１００の各ブロックを制御したり、各ブロック間でのデータ転送を制御したりする。また、制御部１０１は、ユーザからの操作を受け付ける操作部１０２からの操作信号に応じて、撮像装置１００の各ブロックを制御する。また、制御部１０１は、撮像部１１０から画像処理部１１１を介して得られる画像を解析し、その解析結果に応じて、撮像装置１００の各ブロックを制御する。
【０００９】
操作部１０２は、例えば、電源ボタン、静止画記録ボタン（ＳＷ１、ＳＷ２）、動画記録開始ボタン、ズーム調整ボタン、オートフォーカスボタン等の撮影に関連する各種操作を入力するスイッチ類からなる。また、操作部１０２は、動画ジャンプボタン、レックレビュー継続ボタン、決定ボタン、その他カーソルキー、ポインティングデバイス、タッチパネル等からなり、ユーザによりこれらのキーやボタンが操作されると制御部１０１に操作信号を送信する。
バス１０３は、各種データ、制御信号、指示信号等を撮像装置１００の各ブロックに送るための汎用バスである。
【００１０】
撮像部１１０は、撮像手段の一例であって、レンズにより取り込まれた被写体の光学像を、フォーカスレンズ位置制御によりピント調整を行い、絞りにより光量を制御する。また、撮像部１１０は、ＣＣＤセンサやＣＭＯＳセンサ等の撮像素子により画像信号に変換し、アナログデジタル変換をして、画像処理部１１１に送信する。
画像処理部１１１は、入力されたデジタル画像信号に、設定値に基づいてホワイトバランスや色、明るさ等を調整する画質調整処理を行う。そして、画像処理部１１１で処理された画像信号は、制御部１０１により、メモリ１０４、映像出力部１５０または表示制御部１３１に送信される。
【００１１】
本実施形態では、例えば、撮像部１１０が「光学ズーム」機能、「光学防振」機能を有し、画像処理部１１１が「電子ズーム」機能、「電子防振」機能を有している。「光学ズーム」機能、「電子ズーム」機能は、ユーザの操作に応じて、得られる画像を拡大する機能である。また、「光学防振」機能、「電子防振」機能は、撮像装置１００本体の振動による画像の揺れを防止する機能である。これらの機能は、制御部１０１による制御に基づいて単独で使用されたり、同時または交互に使用されたりする。
【００１２】
ここで、「光学ズーム」機能とは、ユーザにより操作部１０２のズームキーが操作されたことに応じて、撮像部１１０のレンズを移動させ、取り込まれる被写体の光学像を拡大／縮小する機能である。また、「電子ズーム」機能とは、ユーザにより操作部１０２のズームキーが操作されたことに応じて、画像処理部１１１が撮像部１１０により撮影されている画像のうち一部を切り出した画像を拡大した画像信号を生成する処理である。また、「光学防振」機能とは、振動を検出したときの加速度信号の値に基づいて、レンズの移動量を算出し、レンズを移動させることで、取得される画像の揺れを防止する機能である。また、「電子防振」機能とは、振動を検出したときの加速度信号の値に基づいて、撮像部１１０により取得された画像信号の位置を調整することにより、画像の揺れを防止する機能である。また、「電子防振」機能は、振動を検出したときの加速度信号の値に基づいて、撮像部１１０の撮像素子における読み出し位置をずらすことによっても実現できる。これらの機能は公知の技術であるため、詳細な説明は省略する。
【００１３】
音声入力部１２０は、例えば、内蔵された無指向性のマイクまたは音声入力端子を介して接続された外部マイク等により、撮像装置１００の周囲の音声を集音（収音）し、アナログデジタル変換をして音声処理部１２１に送信する。音声処理部１２１は、入力されたデジタル音声信号のレベルの適正化処理等の音声に関する処理を行う。音声処理部１２１で処理された音声信号は、制御部１０１によりメモリ１０４に送信される。メモリ１０４は、画像処理部１１１、音声処理部１２１により得られた画像信号および音声信号を一時的に記憶する。
【００１４】
画像処理部１１１および音声処理部１２１は、メモリ１０４に一時的に記憶された画像信号や音声信号を読み出して画像信号の符号化、音声信号の符号化等を行い、圧縮画像信号、圧縮音声信号等を生成する。制御部１０１は、これらの圧縮画像信号、圧縮音声信号を、記録再生部１４０に送信する。
【００１５】
記録再生部１４０は、記録媒体１４１に対して画像処理部１１１および音声処理部１２１で生成された圧縮画像信号、圧縮音声信号、その他撮影に関する制御データ等を記録する。また、音声信号を圧縮符号化しない場合には、制御部１０１は、音声処理部１２１により生成された音声信号と画像処理部１１１により生成された圧縮画像信号とを、記録再生部１４０に送信し記録媒体１４１に記録させる。
【００１６】
記録媒体１４１は、撮像装置に内蔵された記録媒体でも、取外し可能な記録媒体でもよく、撮像装置１００で生成した圧縮画像信号、圧縮音声信号、音声信号、各種データ等を記録することができればよい。例えば、記録媒体１４１は、ハードディスク、光ディスク、光磁気ディスク、ＣＤ−Ｒ、ＤＶＤ−Ｒ、磁気テープ、不揮発性の半導体メモリ、フラッシュメモリ等のあらゆる方式の記録媒体を含む。
【００１７】
記録再生部１４０は、記録媒体１４１に記録された圧縮画像信号、圧縮音声信号、音声信号、各種データ、プログラムを読み出す（再生する）。制御部１０１は、記録再生部１４０により読み出された圧縮画像信号、圧縮音声信号を、画像処理部１１１および音声処理部１２１に送信する。画像処理部１１１および音声処理部１２１は、圧縮画像信号、圧縮音声信号を一時的にメモリ１０４に記憶させ、所定の手順で復号し、復号した音声信号を音声出力部１５１へ、復号化した画像信号を映像出力部１５０や表示制御部１３１に送信する。また、音声信号が記録媒体１４１に非圧縮記録されている場合には、制御部１０１は、音声信号を直接音声出力部１５１に送信する。
【００１８】
音声出力部１５１は、例えば音声出力端子からなり、接続されたイヤホンやスピーカ等から音声を出力させるために音声信号を送信する。また、音声出力部１５１は、撮像装置１００に内蔵され、音声信号にかかる音声を出力するスピーカであってもよい。映像出力部１５０は、例えば映像出力端子からなり、接続された外部ディスプレイ等に映像を表示させるために画像信号を送信する。また、音声出力部１５１、映像出力部１５０は、統合された１つの端子、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子のような端子であってもよい。
【００１９】
表示制御部１３１は、画像処理部１１１から送信された画像信号による映像や、撮像装置１００の操作をするための操作画面（メニュー画面）等を表示部１３０に表示させる。表示部１３０は、例えば、液晶ディスプレイ、有機ＥＬディスプレイ、電子ペーパー等の表示デバイスであれば何でもよい。
【００２０】
外部装置通信部１５２は、例えば、シリアル通信コネクタからなり、外部ストロボや外部マイクを接続することができ、着脱検知用のスイッチも含んでいる。また、外部装置通信部１５２には、ＵＳＢコネクタやＩＥＥＥ１３９４コネクタ等も該当し、パソコン等と接続し画像データの通信を行うことも可能である。外部装置通信部１５２は、これらを複数組み合わせて構成してもよい。
【００２１】
次に、本実施形態の撮像装置１００の通常の動作について説明する。
まず、ユーザが操作部１０２の電源ボタンを操作すると、制御部１０１は操作部１０２から起動の指示を受ける。制御部１０１は指示に応じて不図示の電源供給部を制御して、撮像装置１００の各ブロックに対して電源を供給させる。制御部１０１は電源が供給されると、操作部１０２のモード切り換えスイッチが、例えば、静止画撮影モード、動画撮影モード、再生モード等のどのモードであるかを操作部１０２からの指示信号により確認する。
【００２２】
静止画撮影モードでは、撮影待機状態でユーザが操作部１０２の静止画記録ボタンを操作することで、撮像部１１０によって画像が撮影され、圧縮画像信号が記録媒体１４１に記録される。この後、再び撮影待機状態に戻る。
動画撮影モードでは、撮影待機状態でユーザが操作部１０２の動画記録開始ボタンを操作することで、撮像部１１０によって画像の撮影が開始され、その間、圧縮画像信号と圧縮音声信号または音声信号が記録媒体１４１に記録される。ユーザが操作部１０２の動画記録終了ボタンを操作することで撮像部１１０による撮影が終了する。その後、再び撮影待機状態に戻る。
再生モードでは、記録再生部１４０によりユーザが選択したファイルに関する圧縮画像信号や圧縮音声信号または音声信号を記録媒体１４１から再生して、音声出力部１５１から音声信号を出力し、表示部１３０に映像を表示させる。
【００２３】
次に、上述した静止画撮影モードについて詳細に説明する。
制御部１０１は、操作部１０２により静止画撮影モードが設定されると、撮像装置１００の各ブロックを撮影待機状態に設定する。
撮影待機状態では、画像処理部１１１は画像信号を表示制御部１３１に送信して表示部１３０に画像信号に関する映像を表示させる。ユーザは表示された画面を見ながら撮影の準備を行う。
撮影待機状態において、ユーザが操作部１０２の静止画記録ボタンを半押し（ＳＷ１）することにより制御部１０１に撮影準備指示信号が送信される。制御部１０１は撮像部１１０および画像処理部１１１を制御することによりＡＥ、ＡＦ動作を行い、被写体に最適な露出および距離を求め、フォーカスレンズを被写体に合焦する位置に移動すると共に求めた露出に従った絞り位置に制御して撮影準備状態に遷移する。
【００２４】
撮影準備状態において、ユーザが操作部１０２の静止画記録ボタンを全押し（ＳＷ２）することにより制御部１０１に撮影指示信号が送信される。制御部１０１は撮影制御信号を撮像装置１００の各ブロックに送信し、以下のような動作をさせるように制御する。
撮像部１１０は、レンズにより取り込まれた被写体の光学像を撮像素子により画像信号に変換し、アナログデジタル変換し、画像処理部１１１に送信する。画像処理部１１１は、入力されたデジタル画像信号の画質調整処理（ホワイトバランスや色、明るさ等）を設定値に基づいて処理する。画像処理部１１１で処理された画像信号は、制御部１０１によりメモリ１０４、映像出力部１５０または表示制御部１３１に送信される。ここで、表示部１３０に表示された映像を見ることで、ユーザは撮影した静止画像データを確認することができる。
【００２５】
画像処理部１１１は、メモリ１０４に一時的に記憶された画像信号を読み出して所定の符号化を行い、圧縮画像信号を生成し、記録再生部１４０に出力する。記録再生部１４０は、ＵＤＦ、ＦＡＴ等のファイルシステム管理のもとに、圧縮画像信号を静止画像データとして記録媒体１４１に記録する。
なお、制御部１０１は、画像処理部１１１による符号化の動作が終了すると、撮影待機状態に移行させるように制御信号を撮像装置１００の各ブロックに送信して、撮影待機状態に戻る。
【００２６】
次に、撮像装置の処理について図３のフローチャートを参照して説明する。図３のフローチャートは、制御部１０１のＣＰＵがメモリ１０４のＲＯＭに格納されたプログラムを実行することにより実現する。図３のフローチャートは、ユーザにより静止画撮影モードのうち、ぼかし撮影モードが選択されることにより開始される。ぼかし撮影モードとは、取得される静止画像データにぼかし処理を行うことで、ぼかし効果のある画像を撮影できるモードである。
ステップＳ３０１では、制御部１０１はユーザによるぼかし撮影モードの選択に応じてぼかし設定を有効にし、その設定情報をメモリ１０４に記憶する。制御部１０１は撮像装置１００の各ブロックを撮影待機状態に遷移する。撮影待機状態では、画像処理部１１１は画像信号を表示制御部１３１に送信して、表示部１３０に画像信号に関する映像を表示させる。
【００２７】
ステップＳ３０２では、制御部１０１は撮影待機状態でユーザによる操作部１０２の静止画記録ボタンの半押し（ＳＷ１）の操作に応じた撮影指示信号を待機する。制御部１０１は撮影指示信号を受けることで撮影制御信号を撮像装置１００の各ブロックに送信する。
【００２８】
ステップＳ３０３では、制御部１０１は撮像部１１０および画像処理部１１１を制御して、撮影準備状態に遷移する。具体的には、制御部１０１はＡＥやＡＦスキャン動作を行い、被写体に最適な露出および距離を求め、フォーカスレンズを被写体に合焦する位置に移動させる共に、求めた露出に基づいた絞り位置に制御して、撮影準備状態に遷移する。ＡＦスキャン動作では、制御部１０１は図２（ａ）に示すように、被写体領域を複数のブロックに分割し、各ブロックの被写体距離を取得する。
【００２９】
ステップＳ３０４では、制御部１０１は取得した被写体距離に基づいて、図２（ｂ）に示すように各ブロックを距離グループごとに区分け、区分けした距離グループごとの領域に分割する。この処理は、分割手段による処理の一例に対応する。ここで、距離グループは、被写体距離以外にも撮像部１１０および画像処理部１１１から取得される輝度や色情報も合わせて区分けしてもよい。
ステップＳ３０５では、制御部１０１は各領域のうち所定のアルゴリズムに基づいて着目領域を決定する。所定のアルゴリズムとは、人物や特定の者等の主被写体判別アルゴリズムや、最至近等、公知のアルゴリズムを用いることができる。ここで、着目領域は複数であっても１つであってもよい。以下では、着目領域が複数［１］〜［Ｎ］である場合について説明する（Ｎは２以上の整数）。制御部１０１は、後述するように着目領域を一つずつ選択して、選択した各着目領域に合焦するようにフォーカスレンズを制御しながら繰り返し撮影を行う。
【００３０】
ステップＳ３０６では、制御部１０１は着目領域［１］〜［Ｎ］毎に着目領域以外の各領域のぼかし量を設定し、ぼかしマップを生成する。この処理は、設定手段の一例に対応する。制御部１０１は設定したぼかし量あるいは生成したぼかしマップ［１］〜［Ｎ］をメモリ１０４に記憶する。
図２（ｃ）は領域１を着目領域とした場合のぼかしマップの一例を示している。
ここでは、領域２にぼかし量１、領域３にぼかし量２、領域４にぼかし量３、領域５にぼかし量４が設定されている。制御部１０１は着目領域と各領域との間の相対的な深度差に基づいてぼかし量を設定する。例えば、制御部１０１は着目領域と特定の領域との間の相対的な深度度が小さいほどぼかし量を小さく設定し、深度差が大きいほどぼかし量を大きく設定する。
上述したステップＳ３０３〜ステップＳ３０６までの処理は、ぼかしマップを生成するための処理である。
【００３１】
ステップＳ３０７では、制御部１０１は撮影準備状態でユーザによる操作部１０２の静止画記録ボタンの全押し（ＳＷ２）の操作に応じた撮影指示信号を受信したか否かを判定する。撮影指示信号を受信した場合にはステップＳ３１１に進み、受信しない場合にステップＳ３０８に進む。
ステップＳ３０８では、制御部１０１は被写体または撮像装置１００の動きを検出する。この処理は、検出手段による処理の一例に対応する。ここで、制御部１０１は撮影しているフレーム間の相関関係や、被写体輝度の変化、被写体距離情報の変化等の公知の技術に基づいて被写体の動きを検出する。また、制御部１０１は撮像装置１００が備えるジャイロの出力変化や加速度センサの出力変化等に基づいて撮像装置１００の動きを検出する。
【００３２】
ステップＳ３０９では、制御部１０１は被写体または撮像装置１００に動きがあるか否かを判定する。動きがある場合にはステップＳ３１０に進み、動きがない場合にはステップＳ３０７に戻る。
ステップＳ３１０では、制御部１０１はぼかし設定を無効にして、設定情報をメモリ１０４に記憶する。すなわち、被写体または撮像装置１００に動きが検出された場合にはぼかし撮影モードが選択されている場合でもぼかし設定を無効にして、後述するようにぼかし処理を行わないようにする。
【００３３】
ステップＳ３１１では、制御部１０１は着目領域［ｉ］に合焦するようにフォーカスレンズを制御する（ｉは１〜Ｎまでの整数）。
ステップＳ３１２では、制御部１０１は静止画像データ［ｉ］を撮像部１１０および画像処理部１１１を介して取得する。
ステップＳ３１３では、制御部１０１は着目領域が複数ある場合に着目領域分、すなわち［Ｎ］枚分の静止画像データを取得したか否かを判定する。着目領域分の静止画像データを取得していない場合にはステップＳ３１１からステップＳ３１３の処理を繰り返して、全ての着目領域分の静止画像データを取得する。全ての着目領域分の静止画像データを取得した場合にはステップＳ３１４に進む。
上述したステップＳ３１１〜ステップＳ３１３までの処理は、合焦させる着目領域を変更して複数の画像を撮影するブラケット撮影のための処理である。
【００３４】
ステップＳ３１４では、制御部１０１は撮影した静止画像データ［ｉ]をＹＵＶ変換［ｉ］する。
ステップＳ３１５では、制御部１０１はぼかし設定が有効であるか否かをメモリ１０４に記憶された設定情報に基づいて判定する。ぼかし設定が有効である場合にはステップＳ３１６に進み、ぼかし設定が無効である場合にはステップＳ３１６を行わずにステップＳ３１７に進む。
【００３５】
ステップＳ３１６では、制御部１０１は画像処理部１１１を介してステップＳ３０６で生成したぼかしマップ［ｉ］に基づいて、各領域にぼかし処理［ｉ］を行う。この処理は、処理手段による処理の一例に対応する。具体的には、制御部１０１はぼかしマップ［ｉ］を参照して、各領域に設定されているぼかし量を適用することでぼかし処理を行う。
なお、ステップＳ３１５においてぼかし設定が無効である場合にはぼかし処理を行わずにステップＳ３１７に進む。すなわち、ステップＳ３０９により被写体や撮像装置１００に動きがあると判定された場合にはステップＳ３１０でぼかし設定が無効になっているために、制御部１０１はぼかし処理を行わない。したがって、ぼかし量が設定された後に被写体の位置や画角に変化があった場合には、ぼかし処理を行いたくない被写体にぼかし処理を行う等の不適切なぼかし処理が行われることを防止することができる。
【００３６】
図２（ｄ）は適切にぼかし処理が行われたぼかし画像の一例を示している。図２（ｄ）では着目領域の被写体に合焦され、着目領域以外の領域の被写体はぼかし処理が適用されている。一方、図２（ｅ）は不適切なぼかし処理が行われたぼかし画像の一例を示している。図２（ｅ）では着目領域の被写体が動いてしまったためにぼかし処理を行いたくない被写体にもぼかし処理が適用されている。
【００３７】
ステップＳ３１７では、制御部１０１は画像処理部１１１を介して静止画像データ［ｉ］をＪＰＥＧ［ｉ］に圧縮する。
ステップＳ３１８では、制御部１０１は取得した静止画像データが複数ある場合に、全ての静止画像データをＪＥＰＧに圧縮したか否かを判定する。全ての静止画像データをＪＰＥＧに圧縮していない場合にはステップＳ３１４からステップＳ３１８の処理を繰り返して、ＪＰＥＧに圧縮する。全ての静止画像データをＪＰＥＧに圧縮した場合には、フローチャートの処理を終了する。
上述したステップＳ３１４〜ステップＳ３１８までの処理はぼかし画像を生成するための処理である。
【００３８】
このように本実施形態によれば、被写体の位置や画角に変化があった場合、ぼかし処理を行わないために、不適切なぼかし処理が行われることを防止することができる。また、ぼかし処理を行わない場合であっても、静止画像データ自体は取得されているので撮影の漏れを防止することができる。
なお、本実施形態では、撮影準備状態でぼかし量が設定されてから、静止画像データが取得されるまでの間に、被写体の位置や画角に変化があったか否かを判定していたがこれに限られるものではない。ぼかし量が設定される前や、撮影中に画角に変化があったか否かを判定する構成としても構わない。
【００３９】
（第２の実施形態）
第１の実施形態では、撮影している画面内の何れかの被写体が動いただけでもぼかし処理を行われない場合について説明した。すなわち、例えば、人物を着目領域としている場合に背景の物体が動いただけでもぼかし処理が行われず、ぼかし画像を取得することができない。
本実施形態では、着目領域毎に被写体の動きを検出して、着目領域以外の被写体に動きがある場合にはぼかし処理を行う場合について図４のフローチャートを参照して説明する。なお、第１の実施形態と同様の処理は、適宜その説明を省略する。
【００４０】
ステップＳ４０１では、制御部１０１はユーザによるぼかし撮影モードの選択に応じてぼかし設定を有効にして、設定情報をメモリ１０４に記憶する。このとき、制御部１０１は着目領域毎にぼかし設定を有効または無効にできるように、着目領域毎に関連付けたぼかし設定［１］〜［Ｎ］を用意する。なお、ステップＳ４０１の処理は、ステップＳ４０５で着目領域が決定された後に行うことで、決定した着目領域毎に関連付けたぼかし設定を用意することができる。
ステップＳ４０２〜ステップＳ４０９の処理は、第１の実施形態のステップＳ３０２〜ステップＳ３０９までの処理と同様である。
【００４１】
ステップＳ４０９において被写体に動きがあるとしてステップＳ４１０に進んだ場合、制御部１０１は動きのある部分が含まれる着目領域を抽出する。この処理は、抽出手段による処理の一例である。制御部１０１は抽出した着目領域のぼかし設定を無効にする。制御部１０１は、抽出した着目領域のぼかし設定を無効にして設定情報をメモリ１０４に記憶する。例えば、領域１および領域２に動きがある部分が含まれている場合、領域１を着目領域［１］とするぼかし設定［１］と、領域２を着目領域［２］とするぼかし設定［２］をそれぞれ無効にする。
ステップＳ４１１〜ステップＳ４１４の処理は、第１の実施形態のステップＳ３１１〜ステップＳ３１４の処理と同様である。
【００４２】
ステップＳ４１５では、制御部１０１はＹＵＶ変換「ｉ」する元となる静止画像データ［ｉ］を取得したときに合焦した着目領域［ｉ］のぼかし設定［ｉ］が有効であるか否かをメモリ１０４に記憶された設定情報に基づいて判定する。ぼかし設定［ｉ］が無効である場合にはステップＳ４１７に進み、ぼかし設定［ｉ］が有効である場合にはステップＳ４１６に進む。
【００４３】
ステップＳ４１６では、制御部１０１は画像処理部１１１を介してステップＳ４０６で生成したぼかしマップ［ｉ］に基づいて、各領域にぼかし処理［ｉ］を行う。なお、ステップＳ４１５においてぼかし設定［ｉ］が無効である場合にはぼかし処理を行わずにステップＳ４１７に進む。すなわち、ステップＳ４０９により着目領域［ｉ］の被写体に動きがあると判定された場合にはステップＳ４１０でぼかし設定［ｉ］が無効になっているために、制御部１０１はぼかし処理を行わない。言い換えると、着目領域［ｉ］以外の被写体に動きがあったとしても、ぼかし設定［ｉ］は有効になっているために着目領域［ｉ］に合焦して取得された静止画像データ［ｉ］に対してぼかし処理が行われる。
ステップＳ４１７では、制御部１０１は画像処理部１１１を介して静止画像データ［ｉ］をＪＰＥＧ［ｉ］に圧縮する。
ステップＳ４１８の処理は、第１の実施形態のステップＳ３１８の処理と同様である。
【００４４】
このように本実施形態によれば、ある領域の被写体に動きがあったとしても着目領域以外であればぼかし処理を行うので、適切にぼかし処理が行われたぼかし画像を多く取得することができる。
【００４５】
（第３の実施形態）
第２の実施形態では、着目領域毎のぼかし設定が無効である場合でも、着目領域に合焦させて静止画像データを取得する場合について説明した。
本実施形態では、着目領域毎のぼかし設定が無効の場合に所定の条件に応じて着目領域への合焦を変更させて静止画像データを取得する場合について図５および図６のフローチャートを参照して説明する。なお、第２の実施形態と同様の処理は、適宜その説明を省略する。
ステップＳ５０１〜ステップＳ５１０の処理は、第２の実施形態のステップＳ４０１〜ステップＳ４１０の処理と同様である。
【００４６】
ステップＳ５１１では、制御部１０１は着目領域［ｉ］におけるフォーカスブラケット撮影［ｉ］を判定する。ステップＳ５１１の詳細な処理を、図６のフローチャートを参照して説明する。
ステップＳ６０１では、制御部１０１は着目領域［ｉ］のぼかし設定［ｉ］が有効であるか否かをメモリ１０４に記憶された設定情報に基づいて判定する。ぼかし設定［ｉ］が有効である場合にはステップＳ６０２に進み、制御部１０１は着目領域［ｉ］でのフォーカスブラケット撮影ありとする撮影情報をメモリ１０４に記憶する。一方、ぼかし設定［ｉ］が無効である場合にはステップＳ６０３に進む。
【００４７】
ステップＳ６０３では、制御部１０１は着目領域と、着目領域以外の領域との深度差が所定量以上であるか否かを判定する。この処理は、判定手段による処理の一例に対応する。所定量以上である場合にはステップＳ６０２に進む。一方、深度差が所定量未満である場合にはステップＳ６０４に進み、制御部１０１はフォーカスブラケット撮影なしとする撮影情報をメモリ１０４に記憶する。
【００４８】
図５のフローチャートに戻り、ステップＳ５１２では、制御部１０１は、フォーカスブラケット撮影ありか否かをメモリ１０４に記憶された撮影情報に基づいて判定する。フォーカスブラケット撮影ありと判定された場合にはステップＳ５１３に進み、フォーカスブラケット撮影なしと判定された場合にはステップＳ５１４に進む。
【００４９】
ステップＳ５１３では、制御部１０１は着目領域［ｉ］に合焦するようにフォーカスレンズを制御する。
ステップＳ５１４では、制御部１０１は静止画像データ［ｉ］を撮像部１１０および画像処理部１１１を介して取得する。フォーカスブラケット撮影なしと判定された場合には、制御部１０１はステップＳ５１３において着目領域［ｉ］に合焦させることなく、ステップＳ５１４で静止画像データ［ｉ］を取得する。このとき、制御部１０１は撮像部１１０を制御して、予め取得した被写体輝度情報等に基づいて、各着目領域が最適な露出になるよう露出制御値を取得する静止画像データ毎に変更する。したがって、ぼかし効果はないものの、異なる効果が付与された静止画像データを取得することができる。なお、制御部１０１は画像処理部１１１を制御し、露出制御値だけではなく、ぼかし処理の代わりに色変換処理を行うように画像処理することで、ぼかし効果がないものの、異なる効果が付与された静止画像データを取得することができる。制御部１０１は露出制御値の変更および異なる色変換処理の少なくとも何れかを行うことができる。この処理は、変更手段による処理の一例に対応する。
【００５０】
このように、本実施形態では、被写体の位置に変化がありぼかし処理が行われない場合であっても深度差が所定量以上であるときは、着目領域に合焦させて撮影することで、光学的なぼけ効果が付与された静止画像データを取得することができる。
また、被写体の位置に変化がありぼかし処理が行われない場合であっても、深度差が所定量未満であるときは、露出制御値や色効果処理を変更して撮影することで、ぼけ効果以外の独特な効果が付与された静止画像データを取得することができる。
【００５１】
以上、本発明を種々の実施形態と共に説明したが、本発明はこれらの実施形態にのみ限定されるものではなく、本発明の範囲内で変更等が可能であり、上述した実施形態を適時組み合わせてもよい。
【００５２】
また、上述した実施形態においては、撮像装置１００をデジタルカメラに適用した場合を例にして説明したが、この場合に限定されず、撮像手段を有する機器であれば適用可能である。すなわち、本発明は撮像手段を有する、ＰＤＡ、携帯電話端末、携帯型の画像ビューワ、デジタルフォトフレーム、音楽プレーヤー、ゲーム機、電子ブックリーダー等に適用可能である。
【００５３】
また、本発明は、以下の処理を実行することによっても実現される。すなわち、上述した実施形態の機能を実現するプログラムを、ネットワークまたは各種記憶媒体を介して撮像装置に供給し、撮像装置のコンピュータ（またはＣＰＵ等）がプログラムを読み出して実行する処理である。
【符号の説明】
【００５４】
１００：撮像装置  １０１：制御部  １０２：操作部  １０３：バス  １０４：メモリ  １１０：撮像部  １１１：画像処理部  １２０：音声入力部  １２１：音声処理部  １３０：表示部  １３１：表示制御部  １４１：記録媒体  １４０：記録再生部  １５０：映像出力部  １５１：音声出力部  １５２：外部装置通信部
【図１】
2016024764.tif 000003
【図２】
2016024764.tif 000004
【図３】
2016024764.tif 000005
【図４】
2016024764.tif 000006
【図５】
2016024764.tif 000007
【図６】
2016024764.tif 000008